【手続補正書】
【提出日】平成22年4月14日(2010.4.14)
【手続補正１】
【補正対象書類名】特許請求の範囲
【補正対象項目名】全文
【補正方法】変更
【補正の内容】
【特許請求の範囲】
【請求項１】
計算機システムを制御するプログラムであって、
前記計算機システムは、前記プログラムが格納される記憶装置と、前記記憶装置に格納されたプログラムを実行するプロセッサと、を備え、
前記プログラムは、
浸水域の輪郭線上の点の座標を入力として受け付ける第１手順と、
前記浸水域の輪郭線を含む複数の区画の浸水位を、前記各区間の地盤の標高に所定の浸水深を加算することによって算出する第２手順と、
前記浸水域内の一つ以上の第１地点における浸水深を入力として受け付ける第３手順と、
前記第１地点を含む前記区画の浸水位を、前記第１地点を含む前記区画の地盤の標高に前記第１地点の浸水深を加算することによって算出する第４手順と、
前記第２手順及び前記第４手順によって算出された浸水位を空間補間することによって、前記浸水域に含まれる前記区画のうち、前記第１地点を含まない区画の浸水位を算出する第５手順と、
前記第５手順によって算出された前記区画の浸水位から、前記区画の地盤の標高を減算することによって、前記区画の浸水深を算出する第６手順と、
前記算出された前記区画の浸水深を出力する第７手順と、を前記プロセッサに実行させることを特徴とするプログラム。
【請求項２】
前記第５手順において、前記第１地点を含まない区画の浸水位は、前記第２手順及び前記第４手順によって算出された浸水位、及び、前記第１地点を含まない区画の浸水位が、ラプラス方程式を満たすように算出されることを特徴とする請求項１に記載のプログラム。
【請求項３】
前記第５手順において、前記第１地点を含まない区画である第１区画の浸水位は、前記第１区画に隣接する複数の区画の浸水位に所定の計数を乗じ、前記所定の計数を乗じた複数の区画の浸水位を加算することによって算出され、
前記第５手順は、
前記第１区画の浸水位を算出する手順と、
前記算出された値と、前回算出された前記第１区画の浸水位との差を算出する手順と、
前記算出された差の絶対値が所定の閾値より大きい場合、前記第１区画及び前記第１区画に隣接する前記複数の区画の浸水位を算出する手順と、を含むことを特徴とする請求項３に記載のプログラム。
【請求項４】
前記区画は、前記浸水域を含む地域を所定の間隔で分割することによって生成されることを特徴とする請求項１に記載のプログラム。
【請求項５】
前記計算機システムは、さらに表示装置を備え、
前記第７手順は、前記入力された第１地点の浸水深と、前記算出された各区画における浸水深と、の少なくとも一方を前記表示装置に表示させる第８手順を含むことを特徴とする請求項１に記載のプログラム。
【請求項６】
前記計算機システムは、前記浸水域を含む地域の地図情報を保持し、
前記第７手順は、前記地図情報に基づいて、前記浸水域を含む地域の地図を前記表示装置に表示させる第９手順をさらに含み、
前記第９手順によって表示される地図には、前記浸水域の輪郭線が表示され、
前記入力された第１地点の浸水深と、前記算出された各区画における浸水深と、の少なくとも一方は、前記第９手順によって表示された地図の上に表示されることを特徴とする請求項５に記載のプログラム。
【請求項７】
前記第７手順において、前記算出された各区画における浸水深の表示は、前記地図上の前記各区画に対応する領域のうち、前記浸水域内の領域に、前記浸水深と対応付けられた色彩を表示することによって実行されることを特徴とする請求項６に記載のプログラム。
【請求項８】
前記計算機システムは、
さらに表示装置及び入力装置を備え、
一つ以上の災害の識別情報と、前記各災害に対応して既に入力されている前記第１地点の浸水深と、前記各災害が発生した地域の地図情報と、を保持し、
前記プログラムは、さらに、
前記災害の識別情報を前記表示装置に表示させる第１０手順と、
前記表示された識別情報のうち一つの選択を前記入力装置によって受け付ける第１１手順と、
前記選択された識別情報によって識別される災害における浸水域を含む地域の地図、及び、その災害に対応して既に入力されている前記第１地点の浸水深を、前記保持された地図情報に基づいて前記表示装置に表示させる第１２手順と、を前記プロセッサに実行させ、
前記第１手順は、前記第１２手順によって表示された地図の上の点の指定を受け付けることによって実行され、
前記第３手順は、前記第１２手順によって表示された地図の上の点の指定を受け付け、さらに、前記指定された点に対応する地点の浸水深の入力を受け付けることによって実行されることを特徴とする請求項１に記載のプログラム。
【請求項９】
サーバ計算機と、前記サーバ計算機にネットワークを介して接続されるクライアント計算機と、を備える計算機システムであって、
前記サーバ計算機は、第１プロセッサと、前記第１プロセッサに接続される第１記憶装置と、を備え、
前記クライアント計算機は、第２プロセッサと、前記第２プロセッサに接続される第２記憶装置と、前記第２プロセッサに接続される表示装置と、前記第２プロセッサに接続される入力装置と、を備え、
前記第１プロセッサは、
浸水域の輪郭線上の点の座標を、前記ネットワークを介して、入力として受け付ける第１手順と、
前記浸水域の輪郭線を含む複数の区画の浸水位を、前記各区間の地盤の標高に所定の浸水深を加算することによって算出する第２手順と、
前記浸水域内の一つ以上の第１地点における浸水深を、前記ネットワークを介して、入力として受け付ける第３手順と、
前記第１地点を含む前記区画の浸水位を、前記第１地点を含む前記区画の地盤の標高に前記第１地点の浸水深を加算することによって算出する第４手順と、
前記第２手順及び前記第４手順によって算出された浸水位を空間補間することによって、前記浸水域に含まれる前記区画のうち、前記第１地点を含まない区画の浸水位を算出する第５手順と、
前記第５手順によって算出された前記区画の浸水位から、前記区画の地盤の標高を減算することによって、前記区画の浸水深を算出する第６手順と、を実行することを特徴とする計算機システム。
【請求項１０】
前記第５手順において、前記第１地点を含まない区画の浸水位は、前記第２手順及び前記第４手順によって算出された浸水位、及び、前記第１地点を含まない区画の浸水位が、ラプラス方程式を満たすように算出されることを特徴とする請求項９に記載の計算機システム。
【請求項１１】
前記第１プロセッサは、前記入力された第１地点の浸水深と、前記算出された各区画における浸水深と、の少なくとも一方を、前記ネットワークを介して前記クライアント計算機に送信することを指示し、
前記第２プロセッサは、前記入力された第１地点の浸水深と、前記算出された各区画における浸水深と、の少なくとも一方を前記表示装置に表示させる第７手順を実行することを特徴とする請求項９に記載の計算機システム。
【請求項１２】
前記計算機システムは、一つ以上の災害の識別情報と、前記各災害に対応して既に入力されている前記第１地点の浸水深と、前記各災害が発生した地域の地図情報と、を保持し、
前記第２プロセッサは、さらに、
前記災害の識別情報を前記表示装置に表示させる第９手順と、
前記表示された識別情報のうち一つの選択を前記入力装置によって受け付ける第１０手順と、
前記選択された識別情報によって識別される災害における浸水域を含む地域の地図、及び、その災害に対応して既に入力されている前記第１地点の浸水深を、前記保持された地図情報に基づいて前記表示装置に表示させる第１１手順と、
前記第１１手順によって表示された地図の上の複数の点の指定、及び、前記指定された複数の点のうち少なくとも一つに対応する地点の浸水深の入力を受け付ける第１２手順と、
前記第１２手順において指定された複数の点の少なくとも一つの座標、及び、前記第１２手順において入力された浸水深を、前記サーバ計算機に前記ネットワークを介して送信する第１３手順と、を実行し、
前記第１手順は、前記第１３手順によって送信された座標を受け付けることによって実行され、
前記第３手順は、前記第１３手順によって送信された浸水深を受け付けることによって実行されることを特徴とする請求項９に記載の計算機システム。